(57)【要約】【課題】  液晶表示装置のコモン電極容量を低減し、高品位な画像表現を行う。【解決手段】  アクティブマトリクス基板上のコモン電極と導通されていないの配線を対向基板上のコモン電極と重ならない部分に配置する。さらに、画素エリアと配線の距離を規定する事で、コストの安いマスク・スパッタ法でもコモン電極のパターニングを行えるようにする。また、コモン電極と導通されていない配線はコモン配線より外側にレイアウトすることで一層のコモン電極容量低減を実現する。【選択図】    図４
2005070541.tif 000002
【特許請求の範囲】
【請求項１】
一対の基板間に液晶層を封入してなり、前記一対の基板の一方は複数の走査線と、前記複数の走査線に概略直交して複数のデータ線と、前記複数のデータ線と前記複数の走査線の各交点に複数の画素電極ならびに複数の画素スイッチング素子と、前記複数の画素電極の外側に信号を供給するための信号配線とが配置されてなるアクティブマトリクス基板であり、前記一対の基板のもう一方は前記液晶層と接する面の一部にコモン電極が形成されてなる対向基板であり、前記アクティブマトリクス基板上に形成された配線のうち、前記コモン電極と電気的に導通しており概略同じ電位を有している配線（以下、コモン電位配線と称する）以外の配線の少なくとも一部、望ましくは全部を前記対向基板上に前記コモン電極が存在しない領域と重なった領域に配置している事を特徴とする液晶表示装置。
【請求項２】
前記複数の画素電極との最小距離が０．５ｍｍ以上離れておりかつ前記対向基板上のコモン電極と前記アクティブマトリクス基板上の電極との一又は複数の導通部（以下、対向導通部と称す）との最小距離が５ｍｍ以上離れている領域と前記対向基板上の前記コモン電極が形成されている領域は相互に重ならないことを特徴とする請求項１に記載の液晶表示装置。
【請求項３】
前記アクティブマトリクス基板上に形成された配線および電極のうち、前記画素電極、前記コモン電位配線、前記複数の走査線および前記複数のデータ線のいずれでもなく、かついずれとも電気的に導通して概略同じ電位を有してはいない部位（以下、駆動信号電位部と呼ぶ）と前記複数の画素電極までの最小間隔は０．５ｍｍ以上離れていることを特徴とする請求項１から２に記載の液晶表示装置。
【請求項４】
前記コモン電極と前記駆動信号電位部の重なる面積は少なくとも０．３平方センチメートル以下であり、より望ましくは０平方センチメートルであることを特徴とする請求項１から３に記載の液晶表示装置。
【請求項５】
前記駆動信号電位部は前記一又は複数の対向導通部と前記複数の画素電極を結ぶ線分上には配置されないことを特徴とする請求項１から４に記載の液晶表示装置。
【請求項６】
前記駆動信号電位部が前記複数の画素電極と前記コモン電位配線上の各点を結ぶ線分上には配置されないことを特徴とする請求項１から５に記載の液晶表示装置。
【請求項７】
前記アクティブマトリクス基板上には薄膜トランジスターによって構成されている前記複数の走査線あるいは前記複数のデータ線のいずれかあるいは双方に駆動信号を供給する駆動回路が配置されている駆動回路内蔵型液晶表示装置であることを特徴とする請求項１から６に記載の液晶表示装置。
【請求項８】
前記コモン電極を相対的に高い電位にした状態と前記コモン電極の電位を相対的に低い電位にした状態の交互に反転駆動するコモン反転駆動を行って画像を表示する事を特徴とする請求項１から７に記載の液晶表示装置。
【請求項９】
前記コモン反転駆動をおこなう際、前記コモン電極の電位を反転させるタイミングで前記複数のデータ線の少なくとも一部、より望ましくは全てのデータ線が外部映像信号源や外部電源と相対的に高い電気抵抗によって電気的に分離されている状態（フローティング状態）であることを特徴とする請求項８に記載の液晶表示装置の駆動方法。
【請求項１０】
前記コモン反転駆動をおこなう際、前記コモン電極の電位を反転させるタイミングで前記複数の走査線の少なくとも一部、より望ましくは全ての走査線が外部映像信号源や外部電源と相対的に高い電気抵抗によって電気的に分離されている状態（フローティング状態）であることを特徴とする請求項８から９に記載の液晶表示装置の駆動方法。
【請求項１１】
請求項１から１０に記載の液晶表示装置を用いて画像を表示する機能を有した電子機器。
【発明の詳細な説明】
【技術分野】
【０００１】
本発明は液晶表示装置、及び携帯型電子機器に関するものであり、特にアクティブマトリクス基板を使用した液晶表示装置に関するものである。
【背景技術】
【０００２】
近年、ノートＰＣやモニター用を筆頭に薄膜トランジスターなどのアクティブ素子を用いた液晶表示装置は急速に普及している。一般的にアクティブマトリクス基板を用いた液晶表示装置では、アクティブマトリクス基板上の画素電極と対向する基板の電極（コモン電極）の間に電位を印加することで液晶の配向方向を制御して画像を表示するが、その画素ごとの電位制御はアクティブマトリクス基板側で行い、コモン電極側は全ての画素に等しい電位波形が与えられる。なお、コモン電極の電位を固定して常に一定の電位を付加する方法（コモン固定駆動）と、コモン電極の電位を交流駆動し、アクティブマトリクス基板側の入力信号電位を低減する方法（コモン反転駆動）がある。
【０００３】
直視型のカラーＬＣＤでは対向基板上にはカラーフィルターが配置され、その上層にＩＴＯ（Ｉｎｄｉｕｍ−Ｔｉｎ−Ｏｘｉｄｅ）合金あるいはＩＺＯ（Ｉｎｄｉｕｍ−Ｚｉｎｃ−Ｏｘｉｄｅ）合金などからなるコモン電極を形成するが、上述の通り、表示エリア内では全コモン電極は短絡していて差し支えないので、コスト低減のためにコモン電極は対向基板上に全面成膜したままパターニングされないのが一般的である。図５および図６を用いてこの従来の構造を説明する。
【０００４】
図５はＶＧＡ解像度の駆動回路内蔵型液晶表示装置用のアクティブマトリクス基板の一例を表す構成図である。アクティブマトリクス基板（１０１）上には表示エリア（３１０）とそれ以外の周辺エリアに分けられ、表示エリア（３１０）内には４８０本の走査線（２０１−１〜４８０）と１９２０本のデータ線（２０２−１〜１９２０）が直交して形成されており、４８０本の容量線（２０３―１〜４８０）は走査線（２０１−１〜４８０）と並行かつ交互に配置されている。図示しないが、走査線（２０１−１〜４８０）とデータ線（２０２−１〜１９２０）の各交点にはＮチャネル電界効果型薄膜トランジスターよりなる画素スイッチング素子と画素電極が形成されており、そのゲート電極は走査線（２０１−１〜４８０）に、ソース・ドレイン電極はそれぞれデータ線（２０２−１〜１９２０）と画素電極に接続されている。画素電極は容量線（２０３−１〜４８０）と補助容量コンデンサーを形成し、また液晶表示装置として組み立てられた際には液晶素子をはさんで対抗基板電極（ＣＯＭ）とやはりコンデンサーを形成する。
【０００５】
一方、表示エリア（３１０）の外側の周辺エリアには走査線駆動回路（３０１）、データ線駆動回路（３０２）が配置され、走査線駆動回路には走査線１〜４８０（２０１―１〜４８０）がデータ線駆動回路（３０２）にはデータ線１〜１９２０（２０２―１〜１９２０）がそれぞれ接続され、表示エリアへと続いている。また、走査線駆動回路（３０１）ならびにデータ線駆動回路（３０２）には駆動に必要な電源・信号を供給する複数の信号配線（６０２）が接続され、それぞれ実装端子（６０１）へと繋がっている。
【０００６】
容量線１〜４８０（２０３―１〜４８０）は相互に短絡されてコモン電位配線（３０５）を通じてコモン電位入力端子（３０３）に接続される。一又は複数の対向導通部（３０４）もまた、コモン電位配線（３０５）を通じてコモン電位入力端子（３０３）に接続されており、各対向導通部（３０４）には導通材が配置され、対向電極上のコモン電極と短絡されている。
図６は図５の点Ａ−Ａ´にそった断面図の一例である。対向基板（９０１）上には遮光のためのブラックマトリクス（４９１）、ＲＧＢの各色材（４９２）が配置された上に全面にＩＴＯよりなるコモン電極（４９０）が成膜され、アクティブマトリクス基板（１０１）とシール材（９２０）で基板同士を貼り合わせた間に液晶層（９１０）が封入されている。コモン電極（４９０）は製造コストを安くするためにパターニングされず、アクティブマトリクス基板（１０１）上の走査線駆動回路（３０１）、信号配線（６０２）の上にもコモン電極（４９０）が全面形成されている。
【０００７】
図７は図５の点Ａ−Ａ´にそった断面図の別の例である。駆動回路内蔵型の液晶表示装置においては、駆動回路と重なる領域にコモン電極や液晶素子があることで駆動回路上の液晶に駆動回路電位のＤＣ成分が印加され、信頼性の低下や表示ムラの原因になる。このため、この図７のような駆動回路上の対向電極を除去する構造が提案されている（特許文献１および特許文献２参照）。図７では走査線駆動回路（３０１）上のコモン電極（４９０）は液晶の信頼性を確保するために除去している。
【０００８】
【特許文献１】特許第３２１５３５９号公報
【特許文献２】特許第３３９７８１０号公報
【発明の開示】
【発明が解決しようとする課題】
【０００９】
アクティブマトリクス基板上で各駆動信号の変化により電位の変動が発生すると容量結合によってコモン電極は部分的に電位が変動し、時間の経過とともに元の電位に緩和するが、コモン電極の容量と抵抗が大きいほど緩和時間が長くかかり、緩和する前に次のシーケンス、例えば選択走査線の切り替わりなどが発生すると表示品位を著しく劣化させる。すなわち、コモン電極の容量は画像品位に大きな影響を与えるため、コモン電極の容量低減は大きな課題である。すなわち、また、コモン反転駆動法を用いる際にはコモン電極の電位反転に要する時間はコモン電極の容量と抵抗の積に概略比例するため、この課題の解決はさらに重要になる。
【００１０】
このコモン電極の容量低減という観点からは特許文献１および特許文献２の方法は十分有効ではない。図７に示したように、駆動回路へ入力する信号配線部にいてはコモン電極（４９０）と信号配線（６０２）は通常の構造では一部重ならざるを得ず、コモン電極の容量が増大する。特に対向導通部（３０４）周辺ではコモン電極を除去できないため、この部分での容量増大は大きな課題である。また、特許文献１および特許文献２の発明は液晶素子の劣化を避けるためのものであるため、液晶素子（９１０）が存在しない部分、例えばシール材（９２０）に配線や駆動回路があれば問題にならないが、本発明では容量が問題であるので、液晶素子が存在しない部分も対象となる。また、液晶の信頼性確保の面からは配線にかかるＤＣ成分が概略コモン電位と概略同一であれば重なる部分のコモン電極は問題とならないが、コモン電極容量低減の観点からはこのような部分も問題となる。
【課題を解決するための手段】
【００１１】
本発明は上記の問題を解決するため、表示エリアより外部の周辺エリアにおける配線のうち、コモン電極と電気的に導通しており概略同じ電位を有している配線（以下、コモン電位配線）以外の配線、すなわち駆動回路の電源配線やクロック・タイミング信号配線をコモン電極の存在しない部分に配置した液晶表示装置を提案する。これにより、コモン電極の容量を低減でき、画質の向上が見込まれる。コモン電極と導通している部分は容量にならないので除去の必要は無く、これによりコモン電極の除去が容易となる。
【００１２】
またさらに、本発明は画素電極からの最小距離が０．５ｍｍ以上であり、対向導通部との最小距離が５ｍｍ以上であるアクティブマトリクス基板上の領域と対向基板上でコモン電極が存在する領域の重なりは存在しないような液晶表示装置を提案する。
【００１３】
またさらに、コモン電位配線、走査線およびデータ線いずれかに直接繋がった部分以外の配線・電極（駆動信号電位部と称する）は画素電極との距離を０．５ｍｍ以上とし、さらに駆動信号電位部とコモン電極の重なり面積を０．３平方センチメートル以下、望ましくは０とすることを提案する。これにより、対向導通部周辺と表示エリア周辺の不可避な部位以外での配線とコモン電極の不要な容量を低減できるとともに、表示エリアとコモン電極の重なりマージンを加工精度に対して十分確保でき、しかも電源から対向コモン電極への抵抗を実用上差し支えない範囲にできる。
【００１４】
またさらに、駆動信号電位部は対向導通部より外側に、さらにはコモン電位配線より外側に配置する事を提案する。これにより、対向導通部から表示エリアの間に容量となり得る配線を最小とするレイアウトを可能にし、さらにコモン容量を低減できる。また、対向導通部が内側にくることで表示エリアとの距離が近くなり、画素内の容量線と対向のコモン電極間抵抗が少なくなるため、コモン電位の緩和時間がさらに早くなるというメリットも有する。
【００１５】
またさらに、駆動回路内蔵型の液晶表示装置にこれらの発明を適用する事を提案する。駆動回路を内蔵するとコモン電極と容量を形成する配線、例えば駆動電源やタイミング信号などの配線・電極面積がアクティブマトリクス基板上で増加するため、本発明の効果はより大きい。
【００１６】
またさらに、コモン反転駆動方式の液晶表示装置にこれらの発明を適用する事を提案する。コモン反転駆動方式ではコモンの容量はコモン電位の反転時間と比例関係にあるため、あまりコモン容量が大きいと反転駆動できなくなる。従って本発明は比較的大きなサイズのパネルにおいてコモン反転駆動を可能とするために必要となる。また、小さなパネルにおいてもコモン反転時の消費電流を減少させる効果を有する。
【００１７】
またさらに、コモン反転時、走査線あるいはデータ線、またはその両方をフローティングすることを提案する。反転時のコモン容量がさらに小さくなり、容量低減効果はさらに大である。この場合、表示エリア（３１０）から走査線駆動回路（３０１）やデータ線駆動回路（２０２）までの間の走査線（２０１−１〜４８９）やデータ線（２０２−１〜１９２０）とコモン電極の間の容量も軽減されるという効果も有する。
【００１８】
またさらに、本発明の液晶表示装置を用いて画像を表示する機能を有した電子機器を提案する。具体的にはモニター、ＴＶ、ノートパソコン、ＰＤＡ、デジタルカメラ、ビデオカメラ、携帯電話、携帯フォトビューワー、携帯ビデオプレイヤー、携帯ＤＶＤプレイヤー、携帯オーディオプレイヤーなどである。本発明の液晶表示装置はコモン容量を低減する事でより高い表示品位を実現している。また、コモン反転を行っており低耐圧ＩＣを使用できるためにコストも安く、消費電流も低減されているのでバッテリー駆動の携帯電子機器にも適する。
【発明を実施するための最良の形態】
【００１９】
以下、本発明の実施形態を図面に基づいて説明する。
【実施例１】
【００２０】
図１は本発明の請求項１，３，４，７，８，９および１０に記載の液晶表示装置を実現する第一の実施例での液晶表示装置の平面透過図である。アクティブマトリクス基板（１０１）上には表示エリア（３１０）とそれ以外の周辺エリアに分けられ、表示エリア（３１０）内には４８０本の走査線（２０１−１〜４８０）と１９２０本のデータ線（２０２−１〜１９２０）が直交して形成されており、４８０本の容量線（２０３―１〜４８０）は走査線（２０１−１〜４８０）と並行かつ交互に配置されている。図示しないが、走査線（２０１−１〜４８０）とデータ線（２０２−１〜１９２０）の各交点にはＮチャネル電界効果型薄膜トランジスターよりなる画素スイッチング素子と画素電極が形成されており、そのゲート電極は走査線（２０１−１〜４８０）に、ソース・ドレイン電極はそれぞれデータ線（２０２−１〜１９２０）と画素電極に接続されている。画素電極は容量線（２０３−１〜４８０）と補助容量コンデンサーを形成し、また液晶表示装置として組み立てられた際には液晶素子をはさんで対抗基板電極（ＣＯＭ）とやはりコンデンサーを形成する。
【００２１】
一方、表示エリア（３１０）の外側の周辺エリアにはポリシリコン薄膜トランジスターにより形成されたＣＭＯＳ構成の走査線駆動回路（３０１）、データ線駆動回路（３０２）が配置され、走査線駆動回路には走査線１〜４８０（２０１―１〜４８０）がデータ線駆動回路（３０２）にはデータ線１〜１９２０（２０２―１〜１９２０）がそれぞれ接続され、走査線１〜４８０（２０１―１〜４８０）とデータ線１〜１９２０（２０２―１〜１９２０）は表示エリアへと続いている。また、走査線駆動回路（３０１）ならびにデータ線駆動回路（３０２）には駆動に必要な電源・信号を供給する複数の信号配線（６０２）が接続され、それぞれ実装端子（６０１）へと繋がっている。容量線（２０３―１〜４８０）ならびに対向導通部（３０４）はコモン電位配線（３０５）を通じコモン電位入力端子（３０３）に接続される。対向導通部（３０４）には対向導通材が配置され、対向基板側のコモン電極（４９０）と導通している。
【００２２】
対向側のコモン電極（４９０）は例えばフォトリソグラフィ法でウェットエッチングやドライエッチングを行うか、あるいは成膜をマスク・スパッタ法で行う事により所望の部分にのみ形成されている。特にマスク・スパッタ法を用いるとコスト上有利である。
【００２３】
アクティブマトリクス基板（１０１）の４隅には対向導通部（３０４）が配置され、これと重なる部分、並びに表示エリアとの間のエリアにはコモン電極が存在する。一方、走査線駆動回路（３０１）、データ線駆動回路（３０２）上にはコモン電極は形成されておらず、また、信号配線（６０２）がコモン電極（４９０）と重なるのも四隅のわずかな部分である。好ましくはこの信号配線（６０２）がコモン電極（４９０）と重なる面積を０．３平方センチメートル以下とすると、一般的な液晶材料（εmax〜１０程度、使用ギャップ＞３μｍ）ではコモン電極に付加される容量は１ｎＦ以下と計算される。発明者の測定によると、対角７センチメートル以上の液晶表示装置においては、コモン電極の外部アースや駆動回路との平行容量は低いもので２ｎＦ程度であって、１ｎＦ以下の容量であれば表示品位にさほど大きな影響を与えない。
【００２４】
なお、本実施例では対向導通部が四隅の事例をあげているが、必ずしも隅に配置しなくてもよいし、３ヶ所以下でももちろん構わない。あるいは５ヶ所以上として各長短辺中央などに配置しても良い。
【００２５】
図２は図１のＢ−Ｂ´に沿った断面図である。対向基板（９０１）上にはブラックマトリクス（４９１）、色材（４９２）が配置された上にＩＴＯよりなるコモン電極（４９０）が形成されている。アクティブマトリクス基板（１０１）上には走査線駆動回路（３０１）、マトリクス状に配置された画素電極（３０１）が配置され、シール材（９２０）で基板を貼り合わせた間に液晶層（９１０）が封入されている。走査線駆動回路（３０１）、信号配線（６０２）とコモン電極（４９０）が重なっていないため、コモン電極の容量は最小限度となる。なお、本実施例では走査線駆動回路（３０１）上にブラックマトリクス（４９１）が形成されない構成をとるが、絶縁性ブラックマトリクスを使用するか、コモン電極（４９０）とは電気的に分離する事で走査線駆動回路（３０１）上にブラックマトリクス（４９１）を形成し、光リークを低減する構成でも構わない。なお、走査線駆動回路（３０１）、信号配線（６０２）と重なる対向基板上（９０１）に電極が存在しても、それがコモン電極（４９０）と電気的に導通していないのなら容量にならないので差し支えない。
【００２６】
図３は第一の実施例における透過型液晶表示装置の斜視構成図（一部断面図）である。アクティブマトリクス基板（１０１）と、カラーフィルター基板上にＩＴＯを成膜することでコモン電極（４９０）を形成した対抗基板（９０１）をシール材（９２０）により貼り合わせ、その中にネマティック相液晶材料（９１０）を封入している。図示しないが、アクティブマトリクス基板（１０１）、対抗基板（９０１）ともに液晶材料（９１０）と接触する面にはポリイミドなどからなる配向材料が塗布され、互いに直交する方向にラビング処理されている。また、アクティブマトリクス基板（１０１）上の対向導通部（３０４）には導通材が配置され、対抗基板（９０１）のコモン電極と短絡されている。
【００２７】
コモン電位入力端子（３０３）、信号端子（６０１）はアクティブマトリクス基板（１０１）上に実装されたＦＰＣ（９３０）を通じて回路基板（９３５）上の１ないし複数の外部ＩＣ（９４０）に接続され、必要な電気信号・電位を供給される。
【００２８】
さらに対抗基板の外側には上偏向板（９５１）を、アクティブマトリクス基板の外側には下偏向板（９５２）を配置し、互いの偏光方向が直交するよう（クロスニコル状）に配置する。さらに下偏向板（９５２）下にバックライトユニット（９６０）を取り付けて完成する。バックライトユニット（９６０）は冷陰極管に導光板や散乱板をとりつけたものでも良いし、ＥＬ素子によって発光するユニットでもよい。図示しないが、さらに必要に応じ、周囲を外殻で覆うあるいは上偏向板のさらに上に保護用のガラスやアクリル版を取り付けても良いし、視野角改善のため、光学補償フィルムを貼っても良い。
【００２９】
このような構成をとることで、従来の方式に比べてコモン電極の容量は低減されるため、例えばデータ線駆動回路（３０２）からの出力電位が突然変動し、コモン電極電位が容量結合によって変動した時、例えば表示映像の突然の大きな変化（白画面から黒画面など）、ソース線へのプレチャージ動作時なども元の電位にもどる緩和時間が短く、画質の低下は少ない。
【００３０】
また、本実施例の液晶表示装置の駆動方法としてコモンを交流で駆動するコモン反転駆動法を採用すればコモン反転に要する時間が短くて済むため、本発明の効果は大である。さらにコモン反転時の消費電流も少なくて済む。この時、さらに望ましくはコモン反転の瞬間は、データ線駆動回路（３０２）内で全データ線（２０２−１〜１９２０）を高抵抗で各電源から分離してフローティング状態とし、また走査線駆動回路（３０１）内で全走査線）２０１−１〜４８０）、あるいは数本の走査線を除く全走査線を高抵抗で各電源から分離してフローティング状態とすればさらにコモン容量が低減される。具体的には走査線駆動回路（３０１）から走査線（２０１−１〜４８０）、あるいはデータ線駆動回路（３０２）からデータ線（２０２−１〜１９２０）に出力される最終段に相補型伝送ゲートなどの電気的スイッチング回路を用意し、コモン反転前後のタイミングでこのスイッチング回路を閉じるように構成すれば良い。
【００３１】
またさらに、走査線駆動回路（３０１）、データ線駆動回路（３０２）、信号配線（６０２）および実装端子（６０１）などの電極・配線のうち、コモン電極（４９０）、走査線（２０１−１〜４８０）およびデータ線（２０２−１〜４８０）とは接続されていない配線や電極から表示エリア（３１０）内の画素電極との距離（ａ）の最小値０．５ｍｍ以上であることがより好ましい。このようにレイアウトすることで、コモン電極（４９０）の加工法として加工精度は良い（＜１０μｍ）がコストの高いフォトリソグラフィ法でなく、製造コストは安いが加工精度の悪い（〜３００μｍ程度）マスク・スパッタ法を用いても、コモン電極（４９０）が容量となるようなアクティブマトリクス基板（１０１）上の配線・電極と重なることがなく、かつ表示エリア（３１０）とは確実に重なってかつ端部で配向の乱れが生じない程度のオーバーラップ量（〜２００μｍ程度）を確保できる。従って、画質の低下無くコモン容量を低減できる。
【００３２】
本実施例の液晶表示装置は画質が良く、従来ではコモン反転駆動できなかったようなサイズのパネルでもコモン反転駆動を行えるため外部ＩＣのコストが安くなり、かつ消費電流が低いというメリットを有するため、電子機器に搭載して使用すると表示画質の向上、消費電流の低減、コストの削減といったメリットが期待できる。
【実施例２】
【００３３】
図４は本発明の請求項１，２，３，４，５，６，７，８，９および１０に記載の駆動方法を実現する第二の実施例での液晶表示装置の平面透過図である。
【００３４】
アクティブマトリクス基板（１０１）上には表示エリア（３１０）とそれ以外の周辺エリアに分けられ、表示エリア（３１０）内には４８０本の走査線（２０１−１〜４８０）と１９２０本のデータ線（２０２−１〜１９２０）が直交して形成されており、４８０本の容量線（２０３―１〜４８０）は走査線（２０１−１〜４８０）と並行かつ交互に配置されている。図示しないが、走査線（２０１−１〜４８０）とデータ線（２０２−１〜１９２０）の各交点にはＮチャネル電界効果型薄膜トランジスターよりなる画素スイッチング素子と画素電極が形成されており、そのゲート電極は走査線（２０１−１〜４８０）に、ソース・ドレイン電極はそれぞれデータ線（２０２−１〜１９２０）と画素電極に接続されている。画素電極は容量線（２０３−１〜４８０）と補助容量コンデンサーを形成し、また液晶表示装置として組み立てられた際には液晶素子をはさんで対抗基板電極（ＣＯＭ）とやはりコンデンサーを形成する。
【００３５】
一方、表示エリア（３１０）の外側の周辺エリアにはポリシリコン薄膜トランジスターにより形成されたＣＭＯＳ構成の走査線駆動回路（３０１）、データ線駆動回路（３０２）が配置され、走査線駆動回路には走査線１〜４８０（２０１―１〜４８０）がデータ線駆動回路（３０２）にはデータ線１〜１９２０（２０２―１〜１９２０）がそれぞれ接続され、表示エリアへと続いている。また、走査線駆動回路（３０１）ならびにデータ線駆動回路（３０２）には駆動に必要な電源・信号を供給する複数の信号配線（６０２）が接続され、それぞれ実装端子（６０１）へと繋がっている。容量線（２０３―１〜４８０）ならびに対向導通部（３０４）はコモン電位配線（３０５）を通じコモン電位入力端子（３０３）に接続される。対向導通部（３０４）には対向導通材が配置され、対向基板側のコモン電極（４９０）と導通している。
【００３６】
本実施例ではコモン電位配線（３０５）と対向導通部（３０４）が他の信号配線（６０２）や走査線駆動回路（３０１）、データ線駆動回路（３０２）より常に内側に配置されている。これにより、コモン電極（４９０）の対向導通部（３０４）への張り出しが小さくなり、コモン電極（４９０）と信号配線（６０２）を全く重ねないように配置している。また、対向導通部から表示エリアの距離が短くなるため、コモン電極の電位緩和時間はさらに早くなるというメリットをも有する。
【００３７】
また、コモン電極（４９０）エッジから表示エリアの画素電極までの距離（ａ）の最小値は０．５ｍｍ以上になるようにするとコモン電極（４９０）の加工にマスク・スパッタ法が使用できるためより望ましい。さらに表示エリアより０．５ｍｍ以上外側のエリアにおいては対向導通部（３０４）からコモン電極（４９０）エッジまでの距離ｂは常にｂ≦５ｍｍである事がさらに望ましい。対向導通部周辺のコモン電極の存在する領域が狭いと対向導通部から表示エリア内のコモン電極までの抵抗が実用上無視できなくなるが、発明者の検討結果によると、この領域サイズが５ｍｍ以上であれば抵抗にほとんど差異は無い。従ってｂ≦５ｍｍとすることで、対向導通部（３０４）から表示エリア（３１０）までのコモン電極（４９０）の抵抗を実用上差し支えがでるほど高くする事無く、他の配線がコモン電極と重ならないように配置しやすくなる。また、表示エリアより０．５ｍｍ以上外側のエリアにおいてはコモン電位配線（３０５）以外のコモン電極（４９０）とは電位の異なる信号配線（６０２）や走査線駆動回路（３０１）、データ線駆動回路（３０２）とコモン電極（４９０）の重なりは存在しないことがさらに望ましい。具体的には本実施例では信号配線（６０２）を対向導通部周辺を迂回するようにレイアウトしている。これにより、走査線（２０１）やデータ線（２０２）を除き、コモン電極（４９０）と重なって容量になるような配線は全く存在しなくなり、コモン電極は一層の低容量化されている。
【００３８】
なお、第二の実施例における透過型液晶表示装置モジュール構成は第一の実施例と同じであり、図３を参照のこと。
【００３９】
第二の実施例では第一の実施例よりさらにコモン電極の容量が減っており、コモン電位の変動による画質の低下はより少ない。また、液晶の駆動方法としてコモンを交流で駆動するコモン反転駆動法を採用すれば、コモン反転に要する時間が短くて済むため、さらに本発明の効果は大である点も第一の実施例よりさらに顕著であり、さらにデータ線駆動回路（３０２）内で全データ線を高抵抗で各電源から分離してフローティング状態とし、走査線駆動回路（３０１）内で全走査線、あるいは数本の走査線を除く全走査線を高抵抗で各電源から分離してフローティング状態とすればさらにコモン容量が低減される。
【産業上の利用可能性】
【００４０】
本発明は前述の実施の形態に限定されるものではなく、駆動回路として走査線駆動回路やデータ線駆動回路の一方のみを内蔵する駆動回路部分内蔵型液晶表示装置でも良いし、駆動回路を内蔵しない駆動回路非内蔵型液晶表示装置でも良い。逆にビデオメモリや電源回路などをも内蔵したＳＯＰ（システムオンパネル）液晶表示装置でも良い。また、絶縁基板上に薄膜トランジスターを形成するのではなく、結晶シリコンウェハー上に画素スイッチング素子や駆動回路を作りこんだアクティブマトリクス基板でも良いし、薄膜トランジスターとしてアモルファスシリコンを用いても良い。
【００４１】
また、液晶表示装置として実施例のような透過型で無く反射型や半透過型としてもよいし、直視型で無く投影用のライトバルブとしてもよい。
【図面の簡単な説明】
【００４２】
【図１】第一の実施例を説明するための液晶表示装置の平面透過図。
【図２】第一の実施例を説明するための液晶表示装置の断面図。
【図３】本発明の実施例における液晶表示装置の斜視図（一部断面図）。
【図４】第二の実施例を説明するための液晶表示装置の平面透過図。
【図５】従来方法を説明するための液晶表示装置の平面透過図。
【図６】従来方法を説明するための液晶表示装置の断面図。
【図７】従来方法の別例を説明するための液晶表示装置の断面図。
【符号の説明】
【００４３】
１０１：アクティブマトリクス基板
２０１−１〜４８０：走査線１〜４８０
２０２−１〜１９２０：データ線１〜１９２０
２１１−１〜４８０：走査線スイッチ１〜４８０
３０１：走査線駆動回路
３０２：データ線駆動回路
３０３：コモン電極電位入力端子
３０４：対向導通部
３０５：コモン電位配線
３１０：表示エリア
４０２：画素電極
４９０：コモン電極
６０１：信号端子
６０２：信号配線
９０１：対向基板
９１０：液晶層
９２０：シール材
【図１】
2005070541.tif 000003
【図２】
2005070541.tif 000004
【図３】
2005070541.tif 000005
【図４】
2005070541.tif 000006
【図５】
2005070541.tif 000007
【図６】
2005070541.tif 000008
【図７】
2005070541.tif 000009